(57)【要約】【課題】レーザーレベル装置と共に使用して、相当の高低差のある部位や部材の当該高低差をも精度良く測定することのできるレーザーレベル用スタッフを提供する。【解決手段】レーザーレベル装置１１と組み合わせて用いるレーザー受光器１２を取り付けてなる高さ測定用のレーザーレベル用スタッフ１０であって、縦長方向に沿って直線状に延設する目盛付きスライドガイド部１５が設けられたスタッフ本体１４と、目盛付きスライドガイド部１５に沿ってスライド可能に取り付けられた目盛付きホルダー１３と、この目盛付きホルダー１３に沿ってスライド可能に装着されたレーザー受光器１２とによって構成されている。【選択図】図２
2010078407.tif 000002
【特許請求の範囲】
【請求項１】
レーザーレベル装置と組み合わせて用いるレーザー受光器を取り付けてなるレーザーレベル用スタッフであって、
縦長方向に沿って直線状に延設する目盛付きスライドガイド部が設けられたスタッフ本体と、前記目盛付きスライドガイド部に沿ってスライド可能に取り付けられた目盛付きホルダーと、該目盛付きホルダーに沿ってスライド可能に装着された前記レーザー受光器とからなるレーザーレベル用スタッフ。
【請求項２】
前記目盛付きスライドガイド部は、凹溝又は貫通溝である請求項１に記載のレーザーレベル用スタッフ。
【請求項３】
前記目盛り付きスライドガイド部は、凸条である請求項１に記載のレーザーレベル用スタッフ。
【請求項４】
前記目盛付きホルダーは、前記目盛付きスライドガイド部にスライド可能に嵌着される目盛付き嵌着部と、前記レーザー受光器を着脱可能に保持するホルダー部とからなり、該ホルダー部が前記目盛付き嵌着部にスライド可能に接合されていることにより、前記レーザー受光器が前記目盛付きホルダーに沿ってスライド可能に装着される請求項１〜３のいずれかに記載のレーザーレベル用スタッフ。
【発明の詳細な説明】
【技術分野】
【０００１】
本発明は、レーザーレベル用スタッフに関し、特に、レーザーレベル装置と組み合わせて用いるレーザー受光器を取り付けてなるレーザーレベル用スタッフに関する。
【背景技術】
【０００２】
例えば建築工事において、構築される建物の所定の部位や部材における高さや水平度を確認したり、調整したりする際に、これらの高さのレベル出しを行うための測量方法として、従来より、レベル装置とスタッフを用いた測量方法が採用されている。このような測量方法では、レベル装置を覗いてスタッフの目盛りを読み取る作業者と、縦長形状のスタッフを建物の所定の部位や部材に鉛直に立設させる作業者との、２名の作業者を必要とすることになる。
【０００３】
これに対して、このようなレベル出しの測量作業を一人の作業者でも行えるようにする、レーザーレベル装置が開発されている。レーザーレベル装置は、水平に据え付けた当該レベル装置からレーザー光を発信させ、発信させたレーザー光をレーザー受光器で受光することによってレベル出しを行うものであり、レーザーレベル装置を水平に据え付けた後は、作業者がレーザー受光器を持って移動して、当該レーザー受光器側においてレーザー光の発信レベルを読み取ることにより、建物の所定の部位や部材の高さを精度良く測定できるようにするものである。
【０００４】
また、このようなレーザーレベル装置を用いた測量方法では、レーザー受光器の受光部は、レーザー光を受光可能な高さ方向の受光幅が３０〜６０ｍｍ程度と小さいため、レーザーレベル装置から発信されるレーザー光の発信レベルが受光部の上方又は下方に外れ易く、レーザー受光器によってレーザー光を受光することができなくなる場合がある。このようなことから、受光部がレーザー光の発信レベルに配置されるように、レーザー受光器を適宜上下にスライド移動しつつ測量作業を行えるようにした、受光器ホルダや高さ調整装置も開発されている（例えば、特許文献１、特許文献２参照）。
【特許文献１】特開２００７−２６３７７０号公報
【特許文献２】特開平６−１６７３３１号公報
【発明の開示】
【発明が解決しようとする課題】
【０００５】
しかしながら、特許文献１や特許文献２によれば、レーザーレベル装置及びレーザー受光器は、建物の所定の部位や部材が、同じか又は略同じ高さに設置されるように確認したり調整したりするために用いられるものであり、したがって特許文献１や特許文献２の受光器ホルダや高さ調整装置は、レーザー受光器を上下にスライド移動できる範囲が小さいため、例えば相当の高低差がある建物の所定の部位や部材の当該高低差を測定することは困難である。
【０００６】
本発明は、このような従来の課題に着目してなされたものであり、レーザーレベル装置と共に使用して、建物の所定の部位や部材が、同じか又は略同じ高さに設置されるように容易に確認したり調整したりすることができると共に、相当の高低差のある部位や部材の当該高低差をも精度良く測定することのできるレーザーレベル用スタッフを提供することを目的とする。
【課題を解決するための手段】
【０００７】
本発明は、レーザーレベル装置と組み合わせて用いるレーザー受光器を取り付けてなるレーザーレベル用スタッフであって、縦長方向に沿って直線状に延設する目盛付きスライドガイド部が設けられたスタッフ本体と、前記目盛付きスライドガイド部に沿ってスライド可能に取り付けられた目盛付きホルダーと、該目盛付きホルダーに沿ってスライド可能に装着された前記レーザー受光器とからなるレーザーレベル用スタッフを提供することにより、上記目的を達成したものである。
【０００８】
また、本発明のレーザーレベル用スタッフは、前記目盛付きスライドガイド部が、凹溝又は貫通溝であることが好ましい。
【０００９】
さらに、本発明のレーザーレベル用スタッフは、前記目盛り付きスライドガイド部が、凸条であっても良い。
【００１０】
さらにまた、本発明のレーザーレベル用スタッフは、前記目盛付きホルダーが、前記目盛付きスライドガイド部にスライド可能に嵌着される目盛付き嵌着部と、前記レーザー受光器を着脱可能に保持するホルダー部とからなり、該ホルダー部が前記目盛付き嵌着部にスライド可能に接合されていることにより、前記レーザー受光器が前記目盛付きホルダーに沿ってスライド可能に装着されるようになっていることが好ましい。
【発明の効果】
【００１１】
本発明のレーザーレベル用スタッフによれば、レーザーレベル装置と共に用いて、建物の所定の部位や部材が、同じか又は略同じ高さに設置されるように容易に確認したり調整したりすることができると共に、相当の高低差のある部位や部材の当該高低差をも精度良く測定することができる。
【発明を実施するための最良の形態】
【００１２】
本発明の好ましい一実施形態に係るレーザーレベル用スタッフ１０は、図１に示すように、公知のレーザーレベル装置１１と組み合わせて用いられ、作業者が当該レーザーレベル用スタッフ１０を手で持って、例えば高さを測定すべき建物の所定の部位や部材に下端を当接させた状態で、鉛直となるように立設配置すると共に、レーザー受光器１２が装着された目盛付きホルダー１３をスタッフ本体１４に対して上下にスライド移動させて、レーザー受光器１２の受光部１２ａ（図２参照）によってレーザーレベル装置１１からのレーザー光を受光させる操作を行うことにより、好ましくは一人の作業員による作業であっても、高さを測定すべき建物の所定の部位の高さや高低差を精度良く測定できるようにするものである。また、本実施形態のレーザーレベル用スタッフ１０は、例えば目盛付きホルダー１３をスタッフ本体１４に対して固定した状態で、建物の所定の部位や部材から立設させ、必要に応じて適宜レーザー受光器１２を目盛付きホルダー１３に対して上下にスライド移動させことにより、或いは適宜レーザー受光器１２を目盛付きホルダー１３に対して固定した状態で、建物の所定の部位や部材から立設させ、必要に応じて適宜目盛付きホルダー１３をスタッフ本体１４に対して上下にスライド移動させことにより、建物の所定の部分や部材が同じか又は略同じ高さに設置されるように、容易に確認したり調整したりできるようにするものである。
【００１３】
そして、本実施形態のレーザーレベル用スタッフ１０は、レーザーレベル装置１１と組み合わせて用いるレーザー受光器１２を取り付けてなる高さ測定用のスタッフであって、図２に示すように、縦長方向に沿って直線状に延設する目盛付きスライドガイド部１５が設けられたスタッフ本体１４と、目盛付きスライドガイド部１５に沿ってスライド可能に取り付けられた目盛付きホルダー１３と、この目盛付きホルダー１３に沿ってスライド可能に装着されたレーザー受光器１２とによって構成されている。
【００１４】
本実施形態では、レーザーレベル装置１１は、レーザー光を発信する機能を備えると共に、内部に設けられた発信装置の姿勢を、レーザー光が水平面に沿って発信されるように自動的に制御する公知のオートレベル機構を備える市販のレベル装置を用いることができる。レーザーレベル装置１１は、例えば三脚１６を脚頭１６ａができるだけ水平になるように設置し、脚頭１６ａにレーザーレベル装置１１を、これの底面の雌ネジ部に三脚１６の定芯棹をネジ込んで固定した後に、水準器を用いて略水平になるよう調整するだけで、発信装置の姿勢が、オートレベル機構によってレーザー光が水平面に沿って発信されるように自動的に制御されるようになっている。そして、発信装置の姿勢が制御された状態で、電源スイッチをＯＮにすることにより、レーザーレベル装置１１は、発信装置を回転させつつ水平面に沿って３６０°にレーザー光を発信できるようになっている。このようなレーザーレベル装置１１としては、より具体的には、商品名「ローテーティングレーザー」（トプコン社製）等を好ましく用いることができる。
【００１５】
また、レーザー受光器１２は、レーザーレベル装置１１と組み合わせて製造、販売されるものであって、本実施形態では、図３及び図４にも示すように、例えば高さ１６５ｍｍ、幅７８ｍｍ、厚さ２６ｍｍ程度の大きさの扁平な矩形箱型形状を備えるように形成されている。レーザー受光器１２には、その表面に、受光部１２ａ及び表示部１２ｂが設けられている。受光部１２ａは、高さ５０ｍｍ、幅１５ｍｍの縦長矩形形状を有するように形成されており、また例えば当該受光部１２ａの高さ方向のセンター位置をレーザー光が横切った際に、レーザー受光器１２が例えば確認音を生じるようになっている。表示部１２ｂは、高さ５０ｍｍ、幅２０ｍｍの縦長矩形形状を有するように形成されており、例えば高さ方向のセンター位置に受光部１２ａの高さ方向のセンター位置が表示されると共に、その上下に矢印及び数値が表示されるようになっている。これらによって、受光部１２ａのどの高さ位置にレーザー光が当っているか、またレーザー受光器１２を上方または下方のどちらにどの程度移動させれば、レーザー光が受光部１２ａのセンター位置に当るようになるかが示されるようになっている。
【００１６】
スタッフ本体１４は、例えば幅１１０ｍｍ、厚さ１０ｍｍ程度の大きさの扁平な矩形断面形状を備える、木製又は合成樹脂製の縦長帯板形状の真っ直ぐなロッド状部材であり、例えば１５００ｍｍ程度の長さを有している。スタッフ本体１４は、その幅方向の中央部分に、上端部及び下端部を除く略全長に亘って、例えば３０ｍｍ程度の幅の貫通溝１５が、スタッフ本体１４の縦長方向に沿って直線状に延設して設けられている。スタッフ本体１４の表面側における貫通溝１５の両側の開口縁部には、目盛り１５ａが例えば１ｍｍピッチで、且つスタッフ本体１４の下端を始点とする高さ表示の数値と共に描かれており、これによって貫通溝１５は、目盛付きスライドガイド部１５を構成することになる。また、本実施形態では、スタッフ本体１４の下端部１４ａは、下方に向けて山形形状となるように面取りされており、当該スタッフ本体１４を鉛直となるように立設配置する際に、これの下端を、高さを測定すべき建物の所定の部位や部材に精度良く当接させることができるようになっている。
【００１７】
本実施形態では、目盛り付きホルダー１３は、図３及び図４に示すように、目盛付きスライドガイド部１５にスライド可能に嵌着される目盛付き嵌着部１７と、レーザー受光器１２を着脱可能に保持するホルダー部１８とからなり、ホルダー部１８が目盛付き嵌着部１７にスライド可能に接合されていることにより、レーザー受光器１２が目盛付きホルダー１３に沿ってスライド可能に装着されるようになっている。
【００１８】
目盛付きホルダー１３の目盛付き嵌着部１７は、例えば木製又は合成樹脂製の成形品であって、スタッフ本体１４の表面側に配置されるゲージ部１７ａと、スタッフ本体１４の目盛付きスライドガイド部１５に嵌着される嵌着部１７ｂとからなり、例えば５００ｍｍ程度の長さを有している。
【００１９】
ゲージ部１７ａは、例えば幅７５ｍｍ、厚さ２０ｍｍ程度の矩形断面形状を有する部分であり、その表面及び側面には、目盛り１９が例えば１ｍｍピッチで数値と共に描かれている。またゲージ部１７の一方の側面には、締着ガイド溝２０が、その全長に亘って切り欠き形成されている。締着ガイド溝２０には、ホルダー部１８を目盛付き嵌着部１７に接合させるための締付けボルト２１が締着されると共に、締付けボルト２１の締着位置を締着ガイド溝２０に沿って移動させることにより、ホルダー部１８をスライド移動させつつ、目盛付き嵌着部１７の任意の位置に接合固定することができるようになっている。
【００２０】
嵌着部１７ｂは、ゲージ部１７ａの背面側から一体として突出すると共に、スタッフ本体１４の目盛付きスライドガイド部１５に、当該スライドガイド部１５に沿ってスライド移動可能に嵌め込まれる部分である。また、嵌着部１７ｂには、背面側の端部に押え張出片１７ｃが両側に張り出すようにして一体として接合されており、この押え張出片１７ｃによって、嵌着部１７ｂをスライドガイド部１５から脱落しないように保持しつつ、目盛付き嵌着部１７をスライドガイド部１５に沿って安定した状態でスライド移動させることができるようになっている。なお、嵌着部１７ｂには、例えば押え張出片１７ｃを貫通するようにして、固着ボルト（図示せず）が取り付けられており、この固着ボルトを用いて、目盛付き嵌着部１７をスライドガイド部１５に沿った任意の位置に固定したり、固定を解除してスライド可能な状態にしたりすることができるようになっている。
【００２１】
目盛付きホルダー１３のホルダー部１８は、例えばＨ形断面形状を有するように形成された、金属製又は合成樹脂製の成形品である。ホルダー部１８は、Ｈ形断面形状の背面側の凹部が、目盛付き嵌着部１７を表面側から覆うようにして装着されると共に、Ｈ形断面形状の表面側の凹部には、レーザー受光器１２が、着脱可能に装着されることになる。
【００２２】
また、ホルダー部１８の背面側の凹部の一方の側面には、雌ネジが切られたボルト締着孔２２が形成されており、このボルト締着孔２２に締付けボルト２１を螺着して、ゲージ部１７ａの締着ガイド溝２０に沿った任意の位置に締着することにより、ホルダー部１８を目盛付き嵌着部１７の任意の位置に位置決めした状態で容易に接合固定することができるようになっている。さらに、ホルダー部１８の表面側の凹部には、例えばレーザー受光器１２の裏面側に取付けられた磁石を介して、レーザー受光器１２が嵌め込まれるようにして着脱可能に容易に装着されるようになっている。
【００２３】
そして、上述の構成を備えるレーザーレベル用スタッフ１０を用いて、相当の高低差を有する建物の所定の部位として、例えばベタ基礎２３のベース部２３ａと立上り部２３ｂとの高低差を測量するには、図１に示すように、レーザーレベル装置１１を水平に据え付け、レーザー光を発信させると共に、必要に応じてベンチマーク（ＢＭ）においてレーザーレベル用スタッフ１０を鉛直に立設して、ベンチマークからレーザー光までの高さｈ1を測定することにより、基準となるレーザー光の発信レベルを算定する。
【００２４】
しかる後に、レーザーレベル用スタッフ１０を、ベタ基礎２３の立上り部２３ｂに鉛直に立設させると共に、目盛付きホルダー１３を目盛付きスライドガイド部１５に沿って下方に移動して、レーザー受光器１２の受光部１２ａによってレーザーレベル装置１１からのレーザー光を受光させることにより、立上り部２３ｂの天端からレーザー光の発信レベルまでの高さｈ2を、目盛り１５ａ，１９やレーザー受光器１２の表示部１２ｂを介して読み取る。また、レーザーレベル用スタッフ１０を、ベタ基礎２３のベース部２３ａに鉛直に立設させると共に、目盛付きホルダー１３を目盛付きスライドガイド部１５に沿って上方に移動して、レーザー受光器１２の受光部１２ａによってレーザーレベル装置１１からのレーザー光を受光させることにより、ベース部２３ａの天端からレーザー光の発信レベルまでの高さｈ3を、目盛り１５ａ，１９やレーザー受光器１２の表示部１２ｂを介して読み取る。これらの読み取り結果から、相当の高低差を有するベタ基礎２３のベース部２３ａと立上り部２３ｂとの当該高低差（ｈ3−ｈ2）を、容易に且つ精度良く測量することが可能になる。
【００２５】
一方、上述の構成を備えるレーザーレベル用スタッフ１０を用いて、建物の所定の部位や部材として、例えば建物の床部が同じか又は所定の勾配を持った高さに設置されるように確認したり調整したりするには、例えば目盛付きホルダー１３をスタッフ本体１４に対して固定した状態で、レーザーレベル用スタッフ１０を床部の複数の測定点から立設させ、必要に応じて適宜レーザー受光器１２を目盛付きホルダー１３に対して上下にスライド移動つつ、レーザー受光器１２の受光部１２ａによってレーザーレベル装置１１からのレーザー光を受光させて、レーザー受光器１２の表示部１２ｂや目盛り１９を介してレーザー光の発信レベルを読み取る。これらの床部の複数の測定点におけるレーザー光の発信レベルの読み取り結果から、床部の水平度や勾配を容易に確認したり調整したりすることが可能になる。
【００２６】
また、本実施形態では、例えば床部の基準となる測定点においてレーザーレベル用スタッフ１０を立設させ、目盛付きホルダー１３のゲージ部１７ａの目盛り１９を、スタッフ本体１４の目盛付きスライドガイド部１５の目盛り１５ａの所定の目盛りに基準位置として位置合わせした状態で、目盛付きホルダー１３をスタッフ本体１４に固定したに後に、レーザー受光器１２を目盛付きホルダー１３に対して上下にスライド移動させて、受光部１２ａの高さ方向のセンター位置をレーザー光が横切るのを確認音によって確認すると共に、レーザー受光器１２を目盛付きホルダー１３に固定する。しかる後に、床部の他の測定点において、レーザー受光器１２を目盛付きホルダー１３に対して固定したままの状態で、レーザーレベル用スタッフ１０を立設させ、目盛付きホルダー１３をスタッフ本体１４に対して上下にスライド移動させて、受光部１２ａの高さ方向のセンター位置をレーザー光が横切るのを確認音によって確認すると共に、その時の目盛り１５ａ，１９の基準位置からのズレを読み取ることによっても、各測定点において、床部の水平度や勾配を容易に確認したり調整したりすることが可能になる。
【００２７】
したがって、本実施形態のレーザーレベル用スタッフ１０によれば、レーザーレベル装置１１と共に用いて、建物の所定の部位や部材が、同じか又は略同じ高さに設置されるように容易に確認したり調整したりすることができると共に、相当の高低差のある部位や部材の当該高低差をも精度良く測定することが可能になる。
【００２８】
また、本実施形態のレーザーレベル用スタッフ１０によれば、レーザーレベル装置１１を水平に据え付けた後、作業者がレーザー受光器１２が取り付けられた当該レーザーレベル用スタッフ１０を持って移動して、当該レーザーレベル用スタッフ１０側においてレーザー光の発信レベルを読み取ることにより、上述のようなレベル出しの測量作業を、一人の作業者によって容易に行うことが可能になる。
【００２９】
なお、本発明は上記実施形態に限定されることなく種々の変更が可能である。例えば、目盛付きスライドガイド部は、開口縁部に目盛りが描かれた貫通溝である必要は必ずしもなく、開口縁部に目盛りが描かれた凹溝や、凸面に目盛りが描かれた凸条等であっても良い。また、目盛付きホルダーは、目盛付き嵌着部とホルダー部とからなるものである必要は必ずしも無く、レーザー受光器をスライド移動させることが可能な構造を備えるその他の目盛付きホルダーであっても良い。
【図面の簡単な説明】
【００３０】
【図１】本発明の好ましい一実施形態に係るレーザーレベル用スタッフを用いて建物の所定の部位の高低差を測量する状況を説明する略示側面図である。
【図２】本発明の好ましい一実施形態に係るレーザーレベル用スタッフの構成を説明する略示正面図である。
【図３】本発明の好ましい一実施形態に係るレーザーレベル用スタッフの構成を説明する図２のＡ−Ａに沿った断面図である。
【図４】本発明の好ましい一実施形態に係るレーザーレベル用スタッフの構成を説明する要部分解斜視図である。
【符号の説明】
【００３１】
１０  レーザーレベル用スタッフ
１１  レーザーレベル装置
１２  レーザー受光器
１２ａ  受光部
１２ｂ  表示部
１３  目盛付きホルダー
１４  スタッフ本体
１５  目盛付きスライドガイド部（貫通溝）
１５ａ  目盛り
１６  三脚
１７  目盛付き嵌着部
１７ａ  ゲージ部
１７ｂ  嵌着部
１８  ホルダー部
１９  目盛り
２０  締着ガイド溝
２１  締付けボルト
２２  ボルト締着孔
２３  ベタ基礎
【図１】
2010078407.tif 000003
【図２】
2010078407.tif 000004
【図３】
2010078407.tif 000005
【図４】
2010078407.tif 000006